(57)【特許請求の範囲】
【請求項１】
複数の地点を移動する移動体に付される電子機器であって、
第１の利得かつ第１の周期で前記地点における電磁波の受信を待機する第１のパターン、及び、前記第１の利得より低い第２の利得かつ前記第１の周期より短い第２の周期で前記電磁波の受信を待機する第２のパターン、の状態で前記電磁波を受信可能な受信部と、
前記受信部が前記第１のパターンで前記電磁波の受信を待機している状態において、前記受信部が前記電磁波を受信したとき、前記受信部に前記第２のパターンで前記電磁波の受信を待機させる制御部と、
を備えることを特徴とする電子機器。
【請求項２】
前記電磁波の受信に基づく受信時間を記憶する記憶部を備え、
前記制御部は、前記受信部が前記第２のパターンで前記電磁波の受信を待機している状態において、前記電磁波を受信したとき、前記記憶部に前記受信時間を記憶させ、前記受信部に前記第１のパターンで前記電磁波の受信を待機させる、
ことを特徴とする、請求項１に記載の電子機器。
【請求項３】
前記電磁波の受信に基づく受信時間を記憶する記憶部を備え、
前記制御部は、前記受信部が前記第２のパターンで前記電磁波の受信を待機している状態において、前記電磁波を受信したとき、前記記憶部に前記受信時間を記憶させ、前記受信部に前記電磁波の受信の待機を一定の時間中断させたのち、前記受信部に前記第１のパターンで前記電磁波の受信を待機させる、
ことを特徴とする、請求項１に記載の電子機器。
【請求項４】
前記制御部は、前記受信部が前記第２のパターンで前記電磁波の受信を待機している状態において、前記電磁波を受信しない状態で所定時間が経過した場合、前記受信部に前記第１のパターンで前記電磁波の受信を待機させる、
ことを特徴とする、請求項１に記載の電子機器。
【請求項５】
前記受信部が前記第１の利得で前記電磁波を受信する状態においては、前記受信部は前記地点から１０メートル以内の距離において前記電磁波を受信し、前記受信部が前記第２の利得で前記電磁波を受信する状態においては、前記受信部は前記地点から３メートル以内の距離において前記電磁波を受信する、
ことを特徴とする、請求項１から請求項４のいずれか１項に記載の電子機器。
【請求項６】
前記電子機器は時刻を計時する計時機能を有する電子時計であって、計時結果および前記電磁波の受信に基づく受信時間の少なくとも一方を表示できる表示部を備える
ことを特徴とする、請求項１に記載の電子機器。
【請求項７】
複数の地点を移動する移動体に装着される電子機器のコンピュータに、
第１の利得かつ第１の周期で前記地点における電磁波の受信を待機する第１のパターン、及び、前記第１の利得より低い第２の利得かつ前記第１の周期より短い第２の周期で前記電磁波の受信を待機する第２のパターン、の状態で前記電磁波を受信可能な受信ステップと、
前記受信ステップにおいて前記第１のパターンで前記電磁波の受信を待機している状態であって、前記受信ステップにおいて前記電磁波を受信したとき、前記受信ステップにおいて前記第２のパターンで前記電磁波の受信を待機させる制御ステップと、
を実行させるための、電子機器の制御プログラム。
【発明の詳細な説明】
【技術分野】
【０００１】
本発明は、電子機器、及び電子機器の制御プログラムに関する。
【背景技術】
【０００２】
レースコースに沿って設置された計測ポイントを順に通過しながらゴールを目指すスポーツ競技やゲームがある。例えば、マラソン、トライアスロン、及びオリエンテーリング等がそれにあたる。
例えばマラソン大会において、計測ポイントでは、ランナーが計測ポイントに到達したことを判定するための処理がなされる。また、計測ポイントでは、ランナーがスタート地点から計測ポイントへ到達するまでに要した時間を計測するための処理等もなされ得る。そのような処理を自動化するため、電子機器を使用した計測システムが用いられることがある。例えば、そのような計測システムにおいては、ランナーのゼッケン、シューズ、リストバンド、または腕時計等に、ＲＦＩＤ（Ｒａｄｉｏ  Ｆｒｅｑｕｅｎｃｙ  Ｉｄｅｎｔｉｆｉｃａｔｉｏｎ；小型省電力ＩＣ通信技術）タグが取り付けられる。
また、計測ポイントに敷設された計測マットに、ＲＦＩＤリーダーが組み込まれる。ランナーが計測ポイントに到達すると、ＲＦＩＤリーダーがＲＦＩＤタグから発信された電波を受信する。それによって、計測システムは、ランナーが計測ポイントに到達したことを判定したり、ランナーが計測ポイントに到達するまでに要した時間を計測したりすることができる。
【０００３】
特許文献１に記載の発明では、計測マットが、スタート地点、通過地点及びゴール地点に敷設される。各地点の計測マットから、ＩＤコードを含む電磁波がＩＤコードタグへ送信される。このＩＤコードタグは、電子腕時計に着脱可能に装着されている。ＩＤコードタグは、電磁波を受け取ると、自己のＩＤコードを電磁波に含めて計測マットに送信する。計測マットは、受け取ったＩＤコードを計時・認識処理装置に送信する。計時・認識処理装置は、各種の時間情報を算出する。各種の時間情報とは、スプリットタイム、トータル時間、スタート合図からスタート地点通過までのタイムラグ時間、及びトータル時間からタイムラグ時間を減算した正式のトータル時間、等である。計時・認識処理装置は、計測マットを介して、各種の時間情報を電子腕時計へ送信する。
【０００４】
特許文献２、及び特許文献３に記載の発明では、ランナーが、レース中に個人用運動装置を着用する。レースコースに沿って、複数のマットが設けられる。マットは、アンテナを有し、磁界を生成する。個人用運動装置は、ＲＦＩＤタグ及びディスプレイを有するチップシステムを有する。ランナーがコースに沿って進むに伴い、個人用運動装置は、ＲＦＩＤタグを各マットでトリガする。そして、個人用運動装置は、レースデータを装置上に表示する。
【先行技術文献】
【特許文献】
【０００５】
【特許文献１】特開平５−１７２９６０号公報
【特許文献２】特表２０１０−５３２６７３号公報
【特許文献３】特開２０１３−１２１５４７号公報
【発明の概要】
【発明が解決しようとする課題】
【０００６】
上記のような計測システムでは、計測ポイントにおいて電子機器が確実に電波を受信するようにしなければならない。したがって、従来技術においては、少なくとも競技中は電子機器を常に電波の受信を待機させた状態にしておく必要がある。しかしながら、例えばマラソンのように競技時間が長い競技において、電子機器を常に電波の受信を待機させた状態にしておいた場合、電子機器の電力消費が大きくなる。そのため、電子機器の電池寿命が短くなるという課題があった。
【０００７】
そこで、電池寿命を短くしないために、電子機器の受信回路を間欠駆動させる方法もある。しかしながら、走行する競技者は高速で計測ポイントを通過する。
そのため、連続する受信間隔の期間中に計測ポイントを通過してしまい、計測できないポイントが生じる可能性がある。
また、受信回路の駆動を停止させておく時間を長く確保することが困難である。なぜならば、その時間を長く確保した場合には、電子機器が電波を受信する位置が計測マットからより離れた位置になる場合があるからである。それにより、実際に競技者が計測ポイントを通過した通過タイムと、電子機器が計測した通過タイムとの間の誤差がより大きくなる。すなわち、タイム計測の精度が低くなる。したがって、受信回路の間欠駆動の周期は短く設定される必要がある。電子機器の受信回路の電力消費をあまり小さくすることができないため、やはり電池寿命が短くなるという課題があった。
【０００８】
本発明は上記の点に鑑みてなされたものであり、タイム計測の精度に影響を与えずに、電子機器の電力消費を抑えることができる、電子機器、及び電子機器の制御プログラムを提供する。
【課題を解決するための手段】
【０００９】
（１）本発明は上述した課題を解決するためになされたもので、本発明の一態様は、複数の地点を移動する移動体に付される電子機器であって、第１の利得かつ第１の周期で前記地点における電磁波の受信を待機する第１のパターン、及び、前記第１の利得より低い第２の利得かつ前記第１の周期より短い第２の周期で前記電磁波の受信を待機する第２のパターン、の状態で前記電磁波を受信可能な受信部と、前記受信部が前記第１のパターンで前記電磁波の受信を待機している状態において、前記受信部が前記電磁波を受信したとき、前記受信部に前記第２のパターンで前記電磁波の受信を待機させる制御部と、を備えることを特徴とする電子機器である。
【００１０】
（２）また、本発明の一態様は、前前記電磁波の受信に基づく受信時間を記憶する記憶部を備え、前記制御部は、前記受信部が前記第２のパターンで前記電磁波の受信を待機している状態において、前記電磁波を受信したとき、前記記憶部に前記受信時間を記憶させ、前記受信部に前記第１のパターンで前記電磁波の受信を待機させる、ことを特徴とする、（１）に記載の電子機器である。
【００１１】
（３）また、本発明の一態様は、前記電磁波の受信に基づく受信時間を記憶する記憶部を備え、前記制御部は、前記受信部が前記第２のパターンで前記電磁波の受信を待機している状態において、前記電磁波を受信したとき、前記記憶部に前記受信時間を記憶させ、前記受信部に前記電磁波の受信の待機を一定の時間中断させたのち、前記受信部に前記第１のパターンで前記電磁波の受信を待機させる、ことを特徴とする、（１）に記載の電子機器である。
【００１２】
（４）また、本発明の一態様は、前記制御部は、前記受信部が前記第２のパターンで前記電磁波の受信を待機している状態において、前記電磁波を受信しない状態で所定時間が経過した場合、前記受信部に前記第１のパターンで前記電磁波の受信を待機させる、ことを特徴とする、（１）に記載の電子機器である。
【００１３】
（５）また、本発明の一態様は、前記受信部が前記第１の利得で前記電磁波を受信する状態においては、前記受信部は前記地点から１０メートル以内の距離において前記電磁波を受信し、前記受信部が前記第２の利得で前記電磁波を受信する状態においては、前記受信部は前記地点から３メートル以内の距離において前記電磁波を受信する、ことを特徴とする、（１）から（４）のいずれか１つに記載の電子機器である。
【００１４】
（６）また、本発明の一態様は、前記電子機器は時刻を計時する計時機能を有する電子時計であって、計時結果および前記電磁波の受信に基づく受信時間の少なくとも一方を表示できる表示部を備えることを特徴とする、（１）に記載の電子機器である。
【００１５】
（７）また、本発明の一態様は、複数の地点を移動する移動体に装着される電子機器のコンピュータに、第１の利得かつ第１の周期で前記地点における電磁波の受信を待機する第１のパターン、及び、前記第１の利得より低い第２の利得かつ前記第１の周期より短い第２の周期で前記電磁波の受信を待機する第２のパターン、の状態で前記電磁波を受信可能な受信ステップと、前記受信ステップにおいて前記第１のパターンで前記電磁波の受信を待機している状態であって、前記受信ステップにおいて前記電磁波を受信したとき、前記受信ステップにおいて前記第２のパターンで前記電磁波の受信を待機させる制御ステップと、を実行させるための、電子機器の制御プログラムである。
【発明の効果】
【００１６】
本発明によれば、タイム計測の精度に影響を与えずに、電子機器の電力消費を抑えることができる。
【図面の簡単な説明】
【００１７】
【図１】本発明の第１の実施形態に係る計測システム１の構成の一例を示す概略図である。
【図２】本発明の第１の実施形態に係るマラソン大会会場５の構成の一例を示す概略図である。
【図３】本発明の第１の実施形態に係る電子機器１０及び計測マット２０の構成の一例を示すブロック図である。
【図４】本発明の第１の実施形態に係る受信回路１０２の間欠駆動の動作の一例を示す概略図である。
【図５】本発明の第１の実施形態に係る電子機器１０の動作の一例を示すフローチャートである。
【図６】本発明の第２の実施形態に係る受信回路１０２の間欠駆動の動作の一例を示す概略図である。
【図７】本発明の第２の実施形態に係る電子機器１０の動作の一例を示すフローチャートである。
【図８】本発明の第３の実施形態に係る受信回路１０２の間欠駆動の動作の一例を示す概略図である。
【図９】本発明の第３の実施形態に係る電子機器１０の動作の一例を示すフローチャートである。
【図１０】本発明の第１の実施形態、第２の実施形態、及び第３の実施形態における、具体的なゲイン反応区間の距離の一例を示す概略図である。
【発明を実施するための形態】
【００１８】
（第１の実施形態）
本発明の第１の実施形態について、以下に図面を参照しながら説明する。
まず、第１の実施形態に係る計測システム１の概略について説明する。
図１は、本発明の第１の実施形態に係る計測システム１の構成の一例を示す概略図である。
図１（Ａ）に図示するように、第１の実施形態に係る計測システム１は、電子機器１０と、計測マット２０と、磁界３０と、を含んで構成される。
【００１９】
第１の実施形態に係る電子機器１０は、ランナー（移動体）の手首に装着される。第１の実施形態におけるランナーは、マラソン大会に出場するランナーである。
図１（Ｂ）は、図１（Ａ）に示したランナーの右手首周辺の範囲を拡大して図示したものである。
第１の実施形態に係る電子機器１０は、時刻を計時する計時機能を有するスポーツウォッチ（電子時計）である。図１（Ｂ）に図示するように、電子機器１０は、腕時計型の形状をしている。但しこれは例示であり、電子機器１０は、マラソン競技、及びスポーツウォッチに限られるものではない。
【００２０】
電子機器１０は、コースに沿って設置された複数の計測ポイントを通過しながら移動してゴールを目指すような他のスポーツ競技やゲーム等の競技者に装着される機器であってもよい。例えば、他のスポーツ競技やゲームとは、トライアスロン、自転車競技、及びオリエンテーリング等である。
【００２１】
また、電子機器１０は、ランナーのゼッケン、シューズ、またはスポーツウェア等に装着されるタグのような形状をした機器であってもよい。または、実施形態に係る電子機器１０は、スマートフォン等の携帯型の情報端末であってもよい。または、電子機器１０は、ウェアラブルコンピュータであってもよい。例えば、ウェアラブルコンピュータとは、リストバンド、サングラス、帽子、スポーツウェア、またはシューズ等と一体化されたコンピュータである。または、電子機器１０は、自転車等の移動体と一体化して構成される機器であってもよい。
【００２２】
計測マット２０は、厚さ数ミリメートルの薄くて平坦なマット状の形状をしている。計測マット２０は計測ポイント（後述）に敷設される。計測マット２０は、２種類のアンテナを備える。計測マット２０が備えるアンテナの１つは、パッシブ型のＲＦＩＤタグに電波を発信させるための磁界を発生させるアンテナ（図示せず）である。また、計測マット２０が備えるもう１つのアンテナは、ＲＦＩＤタグが発信した電波（以下において、電磁波と同義）を受信するためのアンテナ（図示せず）である。
パッシブ型のＲＦＩＤタグとは、電池を内蔵せず、電磁誘導等によって駆動して電波の受発信を行うタイプのＲＦＩＤタグのことである。第１の実施形態においては、電磁誘導は、計測マット２０が発生させる磁界３０によって引き起こされる。
【００２３】
なお、図１（Ａ）に示す破線で描かれた２組の３重の輪は、計測マット２０が発生させる磁界３０のイメージを図示したものである。この２組の３重の輪は、実際には不可視なものである。
図１（Ａ）に図示するように、計測マット２０は、計測マット２０上を中心として、磁界３０をまんべんなく発生させる。ランナーが計測マット２０上を通過する際には、必ず計測マット２０が発生させる磁界３０の中を通過するように、各計測マット２０は敷設される。
【００２４】
図２は、本発明の第１の実施形態に係るマラソン大会会場５の構成の一例を示す概略図である。
第１の実施形態に係るマラソン大会会場５は、マラソンコース５０と、スタート地点５１と、１０ｋｍ地点５２−１と、２０ｋｍ地点５２−２と、３０ｋｍ地点５２−３と、ゴール地点５３と、を含んで構成される。
【００２５】
マラソンコース５０は、マラソン大会において、ランナーが走行する経路である。例えば、マラソンコース５０は、一般道路等を利用して設営される。ランナーは、スタート地点５１から走行を開始する。ランナーは、マラソンコース５０に沿って走行をする。そして、ランナーは、ゴール地点５３に到達した後に走行を終了する。なお、マラソンコース５０は、フルマラソンのコースである。マラソンコース５０におけるスタート地点５１からゴール地点５３までの距離は、４２．１９５ｋｍである。
【００２６】
スタート地点５１は、ランナーが走行を開始する地点である。スタート地点５１には、スタートラインが路面上に引かれていたり、横断幕が掲げられていたりする。それによって、ランナーはスタート地点５１の位置を認識することができる。
【００２７】
１０ｋｍ地点５２−１は、スタート地点５１からマラソンコース５０に沿って１０ｋｍ進んだ地点である。同様に、２０ｋｍ地点５２−２及び３０ｋｍ地点５２−３は、スタート地点５１からマラソンコース５０に沿って、それぞれ２０ｋｍ及び３０ｋｍ進んだ地点である。
【００２８】
ゴール地点５３は、マラソンコース５０を完走したランナーが、走行を終了する地点である。ゴール地点５３には、ゴールテープが張られていたり、ゴールラインが路面上に引かれていたり、横断幕が掲げられていたりする。それによって、ランナーはゴール地点５３の位置を認識することができる。
【００２９】
上記の全ての地点は、計測ポイントである。全ての地点とは、スタート地点５１、１０ｋｍ地点５２−１、２０ｋｍ地点５２−２、３０ｋｍ地点５２−３、及びゴール地点５３である。計測ポイントには、マラソン大会の運営者等によって、計測マット２０が敷設されている。
【００３０】
（電子機器及び計測マットの構成）
次に、第１の実施形態に係る電子機器１０及び計測マット２０の構成について図面を参照しながら説明する。
図３は、本発明の第１の実施形態に係る電子機器１０及び計測マット２０の構成の一例を示すブロック図である。
【００３１】
まず、電子機器１０の構成の一例について説明する。
電子機器１０は、受信アンテナ１０１と、受信回路１０２と、マイクロプロセッサ１０３（制御部）と、ディスプレイ（表示部）１０４と、メモリ（記憶部）１０５と、外部操作部材１０６と、電源１０７と、を含んで構成される。
【００３２】
受信アンテナ１０１は、計測マット２０の信号発生コイル２０２（後述）が発生させる磁界３０を受信する。
なお、受信アンテナ１０１は、磁界３０を受信するほか、無線局から送信される標準電波を受信するためのアンテナを兼ねたアンテナであってもよい。すなわち受信アンテナ１０１は、電波時計が備えるアンテナに、磁界３０を受信する機能を追加したアンテナであってもよい。
【００３３】
受信回路１０２は、受信アンテナ１０１が磁界３０を受信したことを示す信号をマイクロプロセッサ１０３に送信する。
マラソン大会の競技中において、受信回路１０２は、常に受信アンテナ１０１を介して受信する磁界３０の受信を待機しているわけではない。受信回路１０２は、一定の間隔で磁界３０の受信を待機している状態（ＯＮの状態）と磁界３０の受信を待機していない状態（ＯＦＦの状態）とを切り替えている。
【００３４】
すなわち、受信回路１０２は間欠駆動する。なぜならば、受信回路１０２が間欠駆動することによって、受信回路１０２が消費する電力が節約されるためである。よって、受信回路１０２がＯＮの状態である時に限り、受信回路１０２は、受信アンテナ１０１を介して磁界３０を受信することができる。
【００３５】
受信部（受信回路１０２）は、第１の利得かつ第１の周期で計測用電波（磁界３０）の受信を待機する第１のパターン、及び第１の利得より低い第２の利得かつ第１の周期より短い第２の周期で計測用電波（磁界３０）の受信を待機する第２のパターン、で計測用電波の受信を待機し、計測地点（計測マット２０）または計測地点（計測マット２０）の周辺で計測用電波（磁界３０）を受信する。
【００３６】
すなわち、受信回路１０２がする間欠駆動の状態には、２つのパターンがある。第１のパターンは、利得（ゲイン）が大きく、駆動する間隔が長い状態である。第２のパターンは、利得（ゲイン）が小さく、駆動する間隔が短い状態である。２つの状態の切り替えは、マイクロプロセッサ１０３（後述）によって制御される。
【００３７】
なお、利得（ゲイン）は、電気回路の増幅器における入力と出力の比である。利得の単位はｄＢ（デシベル）である。利得は、値が大きくなるほど、入力に対して出力が大きくなることを示す。第１の実施形態においては、受信回路１０２は増幅器としての機能も有する。
【００３８】
なお、上記のとおり、第２のパターンよりも、第１のパターンのほうが、受信回路１０２の間欠駆動の周期が長い。したがって、第２のパターンの状態であるときよりも、第１のパターンの状態であるときのほうが、一定の時間内において受信回路１０２に電源が供給される回数が少ない。したがって、第１のパターンによる間欠駆動と、第２のパターンによる間欠駆動と、を駆動させる時間を同一にして比較したならば、第１のパターンによって間欠駆動させた方が、消費電力が少ない。
【００３９】
マイクロプロセッサ１０３は、電子機器１０の各種の制御を行う。例えば、マイクロプロセッサは１０３は、ＣＰＵ（Ｃｅｎｔｒａｌ  Ｐｒｏｃｅｓｓｉｎｇ  Ｕｎｉｔ；中央演算処理装置）である。
【００４０】
制御部（マイクロプロセッサ１０３）は、受信部（受信回路１０２）が計測用電波（磁界３０）を第１のパターンで受信待機している場合において、受信部（受信回路１０２）が計測用電波（磁界３０）を受信したとき、受信部（受信回路１０２）に第２のパターンで受信待機させる。
【００４１】
すなわち、マイクロプロセッサ１０３は、受信回路１０２がする間欠駆動の２つの状態である、第１のパターンと、第２のパターンと、を切り替える制御をする。受信回路１０２が第１のパターンで間欠駆動をしている場合に受信アンテナ１０１が磁界３０を受信したときには、マイクロプロセッサ１０３は受信回路１０２に第２のパターンで間欠駆動をさせるように状態を切り替える。
【００４２】
また、制御部（マイクロプロセッサ１０３）は、受信部（受信回路１０２）が第２のパターンで計測用電波（磁界３０）の受信を待機している場合において、計測用電波（磁界３０）を受信したとき、受信部（受信回路１０２）に第１のパターンで計測用電波（磁界３０）の受信を待機させる。
【００４３】
すなわち、第１の実施形態においては、マイクロプロセッサ１０３は、次のように、受信回路１０２がする間欠駆動の２つの状態を切り替える制御をする。受信回路１０２が第２のパターンで間欠駆動をしている場合に受信アンテナ１０１が磁界３０を受信したときには、マイクロプロセッサ１０３は、受信回路１０２に第１のパターンで間欠駆動をさせるように状態を切り替える。
【００４４】
マイクロプロセッサ１０３は、ストップウォッチ機能を有する。マイクロプロセッサ１０３は、各種の時間情報をディスプレイ１０４に表示させる。そしてマイクロプロセッサ１０３は、ディスプレイ１０４の表示領域に表示させる時間情報を、０．１秒間隔または０．０１秒間隔等の一定の間隔で更新させる。
【００４５】
電子機器１０がストップウォッチ機能を実行している状態であるとき、マイクロプロセッサ１０３は、磁界３０を受信したことを示す信号が受信回路１０２から入力されると、入力された時点の時間情報をメモリ１０５に記憶させる。
例えば、時間情報とは、スタート時点からの経過時間を示すスプリットタイム、及び１つ前の計測ポイントを通過した時点からの経過時間を示すラップタイムである。
【００４６】
マイクロプロセッサ１０３は、外部操作部材１０６から入力された情報に基づいて、各種の時間情報を含む情報をディスプレイ１０４に表示させる。また、マイクロプロセッサ１０３は、外部操作部材１０６から入力された情報に基づいて、メモリ１０５に記憶させるデータの読み書きを行う。
【００４７】
ディスプレイ１０４は、各種の時間情報等を表示する。ディスプレイ１０４は、計時結果、及び磁界３０の受信に基づく受信時間の少なくとも一方を表示できる。ディスプレイ１０４は、例えば、液晶ディスプレイ、有機ＥＬ（Ｅｌｅｃｔｒｏｌｕｍｉｎｅｓｃｅｎｃｅ）ディスプレイ、等を含んで構成される。
【００４８】
メモリ１０５は、各種のデータやプログラム等を記憶する。メモリ１０５は記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの組み合わせ、を含んで構成される。
【００４９】
なお、メモリ１０５を、電子機器１０が備えるのではなく、外部機器が備えるような構成にしてもよい。その場合、マイクロプロセッサ１０３は、通信ネットワークを介して外部機器が備えるメモリにデータを記憶させる。
【００５０】
外部操作部材１０６は、ランナーから操作入力を受け付けるための部材である。例えば、外部操作部材１０６は、ねじ、ダイヤル、タッチパッド、及びポインティングデバイス等の部材によって構成されてもよい。
または、外部操作部材１０６は、外部機器からの操作入力を受け付けるための通信デバイスであってもよい。すなわち、外部操作部材１０６を備える外部機器から、通信ネットワークを介して操作入力を受け付けるようにしてもよい。
【００５１】
なお、上記のディスプレイ１０４と外部操作部材１０６は、両者の機能を兼ね備えた部材を使用してもよい。すなわち表示機能と外部操作入力機能とを兼ね備えた、タッチパネル等の部材を使用してもよい。
電源１０７は、電子機器１０の各構成部品に電力を供給する。
【００５２】
次に、計測マット２０の構成の一例について説明する。
計測マット２０は、マット２０１と、信号発生コイル２０２と、信号発信器２０３と、を備えて構成される。
【００５３】
マット２０１は、薄く平坦なマット状の形状をした部材である。マット２０１は、ランナーが競技中に踏み越えていく際に、違和感なく走行を継続できるために適切な硬度、薄さ、及び大きさ等を具備する部材によって構成される。また、マット２０１は、競技の参加者全員がマット２０１を踏み越えても十分に耐えうるだけの耐久性を具備する。また、マット２０１は、マット２０１の内部に含まれる信号発生コイル２０２を十分に保護しうる耐衝撃性を具備する。また、マット２０１は、雨天の場合でも信号発生コイル２０２を十分に保護できるだけの耐水性を具備する。
【００５４】
信号発生コイル２０２は、マット２０１に埋め込まれたアンテナである。信号発生コイル２０２は、導線部分を環状のコイルにしたアンテナである。
信号発信器２０３は、信号発生コイル２０２と接続される。信号発信器２０３は、信号発生コイル２０２に電流を供給する。それによって、信号発生コイル２０２は磁界３０を発生させることができる。
【００５５】
次に、第１の実施形態において、走行中のランナーが、計測マット２０が敷設された計測ポイントを通過していく際の、受信回路１０２の間欠駆動の動作について説明する。
図４は、本発明の第１の実施形態に係る受信回路１０２の間欠駆動の動作の一例を示す概略図である。
【００５６】
図４の上段は、１人のランナーが図４の左側から右側へ向かって走行している様子を示す。ランナーは、図４の左側から右側へ向かって走行していく間に、計測マット２０の上を通過する。
【００５７】
図４の中段は、ゲインＧ１の反応区間、及びゲインＧ２の反応区間を示す。
ゲインＧ１とは、上記の第１のパターンにおける利得（ゲイン）である。ゲインＧ１の反応区間とは、受信回路１０２が第１のパターンで駆動している場合に、受信アンテナ１０１が磁界３０を受信することができる区間である。ゲインＧ１の反応区間は、地点ｐｔ１１１から地点ｐｔ１１２であることを図示している。
【００５８】
同様に、ゲインＧ２とは、上記の第２のパターンにおける利得（ゲイン）である。ゲインＧ２の反応区間とは、受信回路１０２が第２のパターンで駆動している場合に、受信アンテナ１０１が磁界３０を受信することができる区間である。ゲインＧ２の反応区間は、地点ｐｔ１２１から地点ｐｔ１２２であることを図示している。
【００５９】
図４の下段は、受信回路１０２のＯＮ及びＯＦＦの状態、及び受信回路出力の状態を示す。
受信回路１０２がＯＮである状態とは、受信回路１０２が駆動している状態である。受信回路１０２がＯＮの状態であるときに限り、受信回路１０２は、受信アンテナ１０１を介して磁界３０を受信することができる。そして、磁界３０を受信したことを示す信号を、受信回路１０２はマイクロプロセッサ１０３に出力することができる。受信回路１０２がＯＦＦである状態とは、受信回路１０２が駆動していない状態である。
【００６０】
受信回路出力の状態とは、受信回路１０２がマイクロプロセッサ１０３に、磁界３０を受信したことを示す信号を出力している状態であるか否かを示す。
【００６１】
以下に、走行するランナーが計測マット２０が敷設された計測ポイントへ接近し、計測ポイントを通過して、計測ポイントから離れていくまでの間の、電子機器１０の動作の流れを説明する。
【００６２】
まず、ランナーが図４の上段に示す図の左端の位置を走行している時点では、受信回路１０２は、第１のパターンで間欠駆動する。第１のパターンによる間欠駆動の利得（ゲイン）はゲインＧ１であり、周期は周期Ｔ１である。ランナーが左端の位置を走行している時点では、まだゲインＧ１の反応区間に到達していないため、まだ受信アンテナ１０１は計測マット２０が発生させる磁界３０を受信しない。
【００６３】
そして、ランナーが走行し、ゲインＧ１の反応区間の始点である地点ｐｔ１１１に到達する。この時点で、ゲインＧ１によって受信アンテナ１０１が磁界３０を受信すること可能な距離にまで、電子機器１０が計測マット２０に接近したことになる。但し、受信回路１０２は間欠駆動をしており、この時点では受信回路１０２はＯＦＦの状態になっている。したがって、図４に示す例においては、ランナーが地点ｐｔ１１１に到達した時点では、まだ受信アンテナ１０１は磁界３０を受信しない。
【００６４】
そして、ランナーが走行し、地点ｐｔ１１１を通過した後に初めて受信回路１０２がＯＮになるタイミングである時点ｔｍ１１において、受信回路１０２は受信アンテナ１０１を介して磁界３０を受信する。そして、受信回路１０２は、磁界３０を受信したことを示す信号を、マイクロプロセッサ１０３に出力する。
【００６５】
マイクロプロセッサ１０３は、受信回路１０２からの信号を受信すると、受信回路１０２の間欠駆動の状態を、第１のパターンから第２のパターンへ切り替える。第２のパターンへ切り替えたことにより、受信回路１０２の利得は、第１のパターンの利得であるゲインＧ１よりも低い利得であるゲインＧ２へ切り替わる。また、第２のパターンへ切り替えたことにより、受信回路１０２の間欠駆動の周期は、第１のパターンの周期Ｔ１よりも短い周期である周期Ｔ２へ切り替わる。
【００６６】
受信回路１０２がゲインＧ２に切り替わり、時点ｔｍ１１の時点ではランナーはまだゲインＧ２の反応区間に到達していないことから、再び、受信アンテナ１０１は磁界３０をしない状態になる。
【００６７】
そして、ランナーが走行し、ゲインＧ２の反応区間の始点である地点ｐｔ１２１に到達する。この時点で、ゲインＧ２によって受信アンテナ１０１が磁界３０を受信すること可能な距離にまで、電子機器１０が計測マット２０に接近したことになる。但し、受信回路１０２は間欠駆動をしており、この時点では受信回路１０２はＯＦＦの状態になっている。したがって、図４に示す例においては、ランナーが地点ｐｔ１２１に到達した時点では、まだ受信アンテナ１０１は磁界３０を受信しない。
【００６８】
そして、ランナーが走行し、地点ｐｔ１２１を通過した後に初めて受信回路１０２がＯＮになるタイミングである時点ｔｍ１２において、受信回路１０２は受信アンテナ１０１を介して磁界３０を受信する。そして、受信回路１０２は、磁界３０を受信したことを示す信号を、マイクロプロセッサ１０３に出力する。
【００６９】
マイクロプロセッサ１０３は、第２のパターンで間欠駆動させている受信回路１０２から信号が入力されたとき、入力された時点での時間情報をメモリ１０５に記録する。例えば、時間情報とは、スプリットタイムである。また、例えば、マイクロプロセッサ１０３は、記録した時間情報をディスプレイ１０４に表示させる。
【００７０】
すなわち、マイクロプロセッサ１０３は、第２のパターンで間欠駆動させている受信回路１０２から信号が入力されることによって、計測マット２０が敷設された計測ポイントに電子機器１０が到達したものと判定する。そして、判定した時点での時間情報に基づいて、電子機器１０がこの計測ポイントに到達したタイム（受信時間）を確定し、メモリ１０５に記録する。
【００７１】
また、マイクロプロセッサ１０３は、受信回路１０２からの信号を受信すると、受信回路１０２の間欠駆動の状態を、第２のパターンから第１のパターンへ再び切り替える。第１のパターンへ切り替えたことにより、受信回路１０２の利得は、第２のパターンの利得であるゲインＧ２よりも高い利得であるゲインＧ１へ切り替わる。また、第１のパターンへ切り替えたことにより、受信回路１０２の間欠駆動の周期は、第２のパターンの周期Ｔ２よりも長い周期である周期Ｔ１へ切り替わる。
【００７２】
受信回路１０２がゲインＧ１に切り替わり、時点ｔｍ１２の時点ではランナーはまだゲインＧ１の反応区間の範囲内であることから、引き続き、受信アンテナ１０１は磁界３０を受信可能な状態である。したがって、間欠駆動によって受信回路１０２がＯＮの状態になる度に、受信回路１０２は受信アンテナ１０１を介して磁界３０を受信する。
【００７３】
そして、ランナーが走行し、ゲインＧ１の反応区間の終点である地点ｐｔ１４を通過する。すると、受信アンテナ１０１はゲインＧ１によって磁界３０を受信できない距離にまで計測ポイントから離れたことになる。そして、ランナーが地点ｐｔ１３を通過した後に初めて受信回路１０２がＯＮの状態になる時点である時点ｔｍ１３以降は、再び受信アンテナ１０１は磁界３０を受信しなくなる。
【００７４】
そして、受信アンテナ１０１が磁界３０を受信しなくなったことによって、マイクロプロセッサ１０３は、計測ポイントの通過が完了したものと判定する。そして、マイクロプロセッサ１０３は、その後に通過する計測ポイントにおいても同様に、タイムを確定してメモリ１０５に時間情報を記録する。
【００７５】
（第１の実施形態に係る電子機器１０の動作）
次に、第１の実施形態に係る電子機器１０の動作の一例について説明する。
図５は、本発明の第１の実施形態に係る電子機器１０の動作の一例を示すフローチャートである。
【００７６】
（ステップＳ１０１）まず、ランナーによる外部操作部材１０６からの入力によって、ストップウォッチ機能による時間の計測が開始される。
なお、外部操作部材１０６からの入力に基づいて計測が開始されるのではなく、最初の計測ポイントであるスタート地点５１に敷設された計測マット２０が発生させる磁界３０を、受信アンテナ１０１が受信することに基づいて計測が開始されるような構成としてもよい。
その後、ステップＳ１０２へ進む。
【００７７】
（ステップＳ１０２）マイクロプロセッサ１０３は、受信回路１０２の間欠駆動の状態を第１のパターンにする。それにより、受信回路１０２の利得は、ゲインＧ１に設定される。そして、ステップＳ１０３へ進む。
【００７８】
（ステップＳ１０３）マイクロプロセッサ１０３は、受信回路１０２の間欠駆動の状態を第１のパターンにする。それにより、受信回路１０２の周期は、周期Ｔ１に設定される。そして、ステップＳ１０４へ進む。
【００７９】
（ステップＳ１０４）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ１０５へ進む。
【００８０】
（ステップＳ１０５）受信回路１０２が受信アンテナ１０１を介して磁界３０を受信したならば、受信回路１０２は磁界３０を受信したことを示す信号をマイクロプロセッサ１０３に出力する。その後、ステップＳ１０６へ進む。
受信回路１０２が磁界３０を受信していないならば、ステップＳ１０４へ戻る。
【００８１】
（ステップＳ１０６）マイクロプロセッサ１０３は、受信回路１０２からの信号を受けて、受信回路１０２の間欠駆動の状態を第２のパターンに切り替える。それにより、受信回路１０２の利得は、ゲインＧ２に設定される。そして、ステップＳ１０７へ進む。
【００８２】
（ステップＳ１０７）マイクロプロセッサ１０３は、受信回路１０２からの信号を受けて、受信回路１０２の間欠駆動の状態を第２のパターンに切り替える。それにより、受信回路１０２の周期は、周期Ｔ２に設定される。そして、ステップＳ１０８へ進む。
【００８３】
（ステップＳ１０８）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ１０９へ進む。
【００８４】
（ステップＳ１０９）受信回路１０２が受信アンテナ１０１を介して磁界３０を受信したならば、受信回路１０２は磁界３０を受信したことを示す信号をマイクロプロセッサ１０３に出力する。その後、ステップＳ１１０へ進む。
なお、瞬間的な外乱磁界の誤受信を防止するため、磁界３０を受信したのち所定時間（たとえば、１００ミリ秒）待ってからステップＳ１１０に進むなどの場合も含む。
受信回路１０２が磁界３０を受信していないならば、ステップＳ１０８へ戻る。
【００８５】
（ステップＳ１１０）マイクロプロセッサ１０３は、受信回路１０２からの信号が入力された時点に基づく時間情報によってタイムを確定する。マイクロプロセッサ１０３は、確定したタイムに係る時間情報を、メモリ１０５に記録する。その後、ステップＳ１１１へ進む。
【００８６】
（ステップＳ１１１）マイクロプロセッサ１０３は、受信回路１０２からの信号を受けて、受信回路１０２の間欠駆動の状態を、再び、第１のパターンに切り替える。それにより、受信回路１０２の利得は、ゲインＧ１に設定される。そして、ステップＳ１１２へ進む。
【００８７】
（ステップＳ１１２）マイクロプロセッサ１０３は、受信回路１０２からの信号を受けて、受信回路１０２の間欠駆動の状態を、再び、第２のパターンに切り替える。それにより、受信回路１０２の周期は、周期Ｔ２に設定される。そして、ステップＳ１１３へ進む。
【００８８】
（ステップＳ１１３）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ１１４へ進む。
【００８９】
（ステップＳ１１４）受信回路１０２が、間欠駆動をする度に、受信アンテナ１０１を介して磁界３０を受信している状態であるならば、ステップＳ１１３へ戻る。
受信回路１０２が、磁界３０を受信しなくなったならば、ステップＳ１０４へ戻る。
以上で、第１の実施形態における電子機器１０の動作の一例についての説明を終了する。
【００９０】
以上説明したように、第１の実施形態に係る電子機器１０は、計測ポイントに接近するまでの間は、受信回路１０２は、第２のパターンよる間欠駆動よりも周期が長く消費電力が小さい、第１のパターンによって間欠駆動をする。したがって、常に第２のパターンで受信回路１０２が間欠駆動をする場合よりも、消費電力を小さくすることができる。
【００９１】
そして、計測ポイントに接近すると、受信回路１０２の間欠駆動は、第１のパターンよりも周期が短い第２のパターンに切り替わる。間欠駆動の周期が短い第２のパターンに切り替わることによって、第１のパターンで受信回路１０２が間欠駆動をする場合よりも、電子機器１０が計測マット２０に到達した時間を計測する際の計測誤差をより小さくすることができる。
【００９２】
そして、計測ポイントを通過したタイムが確定すると、再び、受信回路１０２は、第２のパターンよる間欠駆動よりも周期が長く消費電力が小さい、第１のパターンによって間欠駆動をする。したがって、常に第２のパターンで受信回路１０２が間欠駆動をする場合よりも、消費電力を小さくすることができる。
以上により、本発明の第１の実施形態に係る電子機器１０は、タイム計測の精度に影響を与えずに、電子機器の電力消費を抑えることができる。
【００９３】
（第２の実施形態）
次に、本発明の第２の実施形態について、以下に図面を参照しながら説明する。
なお、第１の実施形態と構成が共通する部分については、説明を省略する。
【００９４】
（電子機器の構成）
図３の、電子機器１０の構成の一例を示すブロック図を用いて説明する。
マイクロプロセッサ１０３は、電子機器１０の各種の制御を行う。例えば、マイクロプロセッサは１０３は、ＣＰＵである。
【００９５】
制御部（マイクロプロセッサ１０３）は、受信部（受信回路１０２）が計測用電波（磁界３０）を第１のパターンで受信待機している場合において、受信部（受信回路１０２）が計測用電波（磁界３０）を受信したとき、受信部（受信回路１０２）に第２のパターンで受信待機させる。
【００９６】
すなわち、マイクロプロセッサ１０３は、受信回路１０２がする間欠駆動の２つの状態を切り替える制御をする。受信回路１０２が第１のパターンで間欠駆動をしている場合に受信アンテナ１０１が磁界３０を受信したときには、マイクロプロセッサ１０３は受信回路１０２に第２のパターンで間欠駆動をさせるように状態を切り替える。
【００９７】
また、制御部（マイクロプロセッサ１０３）は、受信部（受信回路１０２）が第２のパターンで計測用電波（磁界３０）の受信を待機している場合において、計測用電波（磁界３０）を受信したとき、受信部（受信回路１０２）に計測用電波（磁界３０）の受信の待機を一定の時間中断させる。
【００９８】
すなわち、第２の実施形態においては、マイクロプロセッサ１０３は、次のように、受信回路１０２がする間欠駆動の２つの状態を切り替える制御をする。受信回路１０２が第２のパターンで間欠駆動をしている場合に受信アンテナ１０１が磁界３０を受信したときには、マイクロプロセッサ１０３は、一定の時間、受信回路１０２がする間欠駆動を中断させる。一定の時間とは、例えば１分間である。
【００９９】
そして、マイクロプロセッサ１０３は、一定の時間が経過した後、受信回路１０２に第１のパターンで間欠駆動をさせるように再び状態を切り替えて、受信回路１０２がする間欠駆動を再開させる。
【０１００】
次に、第２の実施形態において、走行中のランナーが、計測マット２０が敷設された計測ポイントを通過していく際の、受信回路１０２の間欠駆動の動作について説明する。
図６は、本発明の第２の実施形態に係る受信回路１０２の間欠駆動の動作の一例を示す概略図である。
【０１０１】
図６の上段は、１人のランナーが図６の左側から右側へ向かって走行している様子を示す。ランナーは、図６の左側から右側へ向かって走行していく間に、計測マット２０の上を通過する。
【０１０２】
図６の中段は、ゲインＧ１の反応区間、及びゲインＧ２の反応区間を示す。
ゲインＧ１とは、上記の第１のパターンにおける利得（ゲイン）である。ゲインＧ１の反応区間とは、受信回路１０２が第１のパターンで駆動している場合に、受信アンテナ１０１が磁界３０を受信することができる区間である。ゲインＧ１の反応区間は、地点ｐｔ２１１から地点ｐｔ２１２であることを図示している。
【０１０３】
同様に、ゲインＧ２とは、上記の第２のパターンにおける利得（ゲイン）である。ゲインＧ２の反応区間とは、受信回路１０２が第２のパターンで駆動している場合に、受信アンテナ１０１が磁界３０を受信することができる区間である。ゲインＧ２の反応区間は、地点ｐｔ２２１から地点ｐｔ２２２であることを図示している。
【０１０４】
図６の下段は、受信回路１０２のＯＮ及びＯＦＦの状態、及び受信回路出力の状態を示す。
受信回路１０２がＯＮである状態とは、受信回路１０２が駆動している状態である。受信回路１０２がＯＮの状態であるときに限り、受信回路１０２は、受信アンテナ１０１を介して磁界３０を受信することができる。そして、磁界３０を受信したことを示す信号を、受信回路１０２はマイクロプロセッサ１０３に出力することができる。受信回路１０２がＯＦＦである状態とは、受信回路１０２が駆動していない状態である。
【０１０５】
受信回路出力の状態とは、受信回路１０２がマイクロプロセッサ１０３に、磁界３０を受信したことを示す信号を出力している状態であるか否かを示す。
【０１０６】
以下に、走行するランナーが計測マット２０が敷設された計測ポイントへ接近し、計測ポイントを通過して、計測ポイントから離れていくまでの間の、電子機器１０の動作の流れを説明する。
【０１０７】
まず、ランナーが図６の上段に示す図の左端の位置を走行している時点では、受信回路１０２は、第１のパターンで間欠駆動する。第１のパターンによる間欠駆動の利得（ゲイン）はゲインＧ１であり、周期は周期Ｔ１である。ランナーが左端の位置を走行している時点では、まだゲインＧ１の反応区間に到達していないため、まだ受信アンテナ１０１は計測マット２０が発生させる磁界３０を受信しない。
【０１０８】
そして、ランナーが走行し、ゲインＧ１の反応区間の始点である地点ｐｔ２１１に到達する。この時点で、ゲインＧ１によって受信アンテナ１０１が磁界３０を受信すること可能な距離にまで、電子機器１０が計測マット２０に接近したことになる。但し、受信回路１０２は間欠駆動をしており、この時点では受信回路１０２はＯＦＦの状態になっている。したがって、図６に示す例においては、ランナーが地点ｐｔ２１１に到達した時点では、まだ受信アンテナ１０１は磁界３０を受信しない。
【０１０９】
そして、ランナーが走行し、地点ｐｔ２１１を通過した後に初めて受信回路１０２がＯＮになるタイミングである時点ｔｍ２１において、受信回路１０２は受信アンテナ１０１を介して磁界３０を受信する。そして、受信回路１０２は、磁界３０を受信したことを示す信号を、マイクロプロセッサ１０３に出力する。
【０１１０】
マイクロプロセッサ１０３は、受信回路１０２からの信号を受信すると、受信回路１０２の間欠駆動の状態を、第１のパターンから第２のパターンへ切り替える。第２のパターンへ切り替えたことにより、受信回路１０２の利得は、第１のパターンの利得であるゲインＧ１よりも低い利得であるゲインＧ２へ切り替わる。また、第２のパターンへ切り替えたことにより、受信回路１０２の間欠駆動の周期は、第１のパターンの周期Ｔ１よりも短い周期である周期Ｔ２へ切り替わる。
【０１１１】
受信回路１０２がゲインＧ２に切り替わり、時点ｔｍ２１の時点ではランナーはまだゲインＧ２の反応区間に到達していないことから、再び、受信アンテナ１０１は磁界３０をしない状態になる。
【０１１２】
そして、ランナーが走行し、ゲインＧ２の反応区間の始点である地点ｐｔ２２１に到達する。この時点で、ゲインＧ２によって受信アンテナ１０１が磁界３０を受信すること可能な距離にまで、電子機器１０が計測マット２０に接近したことになる。但し、受信回路１０２は間欠駆動をしており、この時点では受信回路１０２はＯＦＦの状態になっている。したがって、図４に示す例においては、ランナーが地点ｐｔ２２１に到達した時点では、まだ受信アンテナ１０１は磁界３０を受信しない。
【０１１３】
そして、ランナーが走行し、地点ｐｔ２２１を通過した後に初めて受信回路１０２がＯＮになるタイミングである時点ｔｍ２２において、受信回路１０２は受信アンテナ１０１を介して磁界３０を受信する。そして、受信回路１０２は、磁界３０を受信したことを示す信号を、マイクロプロセッサ１０３に出力する。
【０１１４】
マイクロプロセッサ１０３は、第２のパターンで間欠駆動させている受信回路１０２から信号が入力されたとき、入力された時点での時間情報をメモリ１０５に記録する。例えば、時間情報とは、スプリットタイムである。また、例えば、マイクロプロセッサ１０３は、記録した時間情報をディスプレイ１０４に表示させる。
【０１１５】
すなわち、マイクロプロセッサ１０３は、第２のパターンで間欠駆動させている受信回路１０２から信号が入力されることによって、計測マット２０が敷設された計測ポイントに電子機器１０が到達したものと判定する。そして、判定した時点での時間情報に基づいて、電子機器１０がこの計測ポイントに到達したタイムを確定し、メモリ１０５に記録する。
【０１１６】
また、マイクロプロセッサ１０３は、第２のパターンで間欠駆動させている受信回路１０２から信号が入力された場合、一定の時間、受信回路１０２の間欠駆動を中断させる。  なぜらば、マイクロプロセッサ１０３は、計測ポイントに到達したタイムを確定した後は、その計測ポイントに敷設された計測マット２０が発生させる磁界３０を受信しないようにさせるためである。
【０１１７】
したがって、一定の時間とは、ランナーが計測マット２０を通過してからゲインＧ１の反応区間の終点である地点ｐｔ２１２までを走行するのに要する時間よりも十分に長い時間となるように定められる。また、一定の時間とは、ランナーが計測マット２０を通過してから次の計測ポイントのゲインＧ１の反応区間の始点までを走行するのに要する時間よりも十分に短い時間となるように定められる。
【０１１８】
マイクロプロセッサ１０３が、受信回路１０２の間欠駆動を中断させてから一定の時間が経過したタイミングである時点ｔｍ２３において、マイクロプロセッサ１０３は、受信回路１０２の間欠駆動を再開させる。
そのとき、受信回路１０２の間欠駆動の状態を第２のパターンから第１のパターンへ再び切り替える。第１のパターンへ切り替えたことにより、受信回路１０２の利得は、第２のパターンの利得であるゲインＧ２よりも高い利得であるゲインＧ１へ切り替わる。また、第１のパターンへ切り替えたことにより、受信回路１０２の間欠駆動の周期は、第２のパターンの周期Ｔ２よりも長い周期である周期Ｔ１へ切り替わる。
【０１１９】
そして、マイクロプロセッサ１０３は、その後に通過する計測ポイントにおいても同様に、タイムを確定してメモリ１０５に時間情報を記録する。
【０１２０】
（第２の実施形態に係る電子機器１０の動作）
次に、第２の実施形態に係る電子機器１０の動作の一例について説明する。
図７は、本発明の第２の実施形態に係る電子機器１０の動作の一例を示すフローチャートである。
【０１２１】
（ステップＳ２０１）まず、ランナーによる外部操作部材１０６からの入力によって、ストップウォッチ機能による時間の計測が開始される。
なお、外部操作部材１０６からの入力に基づいて計測が開始されるのではなく、最初の計測ポイントであるスタート地点５１に敷設された計測マット２０が発生させる磁界３０を、受信アンテナ１０１が受信することに基づいて計測が開始されるような構成としてもよい。
その後、ステップＳ２０２へ進む。
【０１２２】
（ステップＳ２０２）マイクロプロセッサ１０３は、受信回路１０２の間欠駆動の状態を第１のパターンにする。それにより、受信回路１０２の利得は、ゲインＧ１に設定される。そして、ステップＳ２０３へ進む。
【０１２３】
（ステップＳ２０３）マイクロプロセッサ１０３は、受信回路１０２の間欠駆動の状態を第１のパターンにする。それにより、受信回路１０２の周期は、周期Ｔ１に設定される。そして、ステップＳ２０４へ進む。
【０１２４】
（ステップＳ２０４）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ２０５へ進む。
【０１２５】
（ステップＳ２０５）受信回路１０２が受信アンテナ１０１を介して磁界３０を受信したならば、受信回路１０２は磁界３０を受信したことを示す信号をマイクロプロセッサ１０３に出力する。その後、ステップＳ２０６へ進む。
受信回路１０２が磁界３０を受信していないならば、ステップＳ２０４へ戻る。
【０１２６】
（ステップＳ２０６）マイクロプロセッサ１０３は、受信回路１０２からの信号を受けて、受信回路１０２の間欠駆動の状態を第２のパターンに切り替える。それにより、受信回路１０２の利得は、ゲインＧ２に設定される。そして、ステップＳ２０７へ進む。
【０１２７】
（ステップＳ２０７）マイクロプロセッサ１０３は、受信回路１０２からの信号を受けて、受信回路１０２の間欠駆動の状態を第２のパターンに切り替える。それにより、受信回路１０２の周期は、周期Ｔ２に設定される。そして、ステップＳ２０８へ進む。
【０１２８】
（ステップＳ２０８）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ２０９へ進む。
【０１２９】
（ステップＳ２０９）受信回路１０２が受信アンテナ１０１を介して磁界３０を受信したならば、受信回路１０２は磁界３０を受信したことを示す信号をマイクロプロセッサ１０３に出力する。その後、ステップＳ２１０へ進む。
なお、瞬間的な外乱磁界の誤受信を防止するため、磁界３０を受信したのち所定時間（たとえば、１００ミリ秒）待ってからステップＳ２１０に進むなどの場合も含む。
受信回路１０２が磁界３０を受信していないならば、ステップＳ２０８へ戻る。
【０１３０】
（ステップＳ２１０）マイクロプロセッサ１０３は、受信回路１０２からの信号が入力された時点に基づく時間情報によってタイムを確定する。マイクロプロセッサ１０３は、確定したタイムに係る時間情報を、メモリ１０５に記録する。その後、ステップＳ２１１へ進む。
【０１３１】
（ステップＳ２１１）マイクロプロセッサ１０３は、受信回路１０２からの信号を受けて、受信回路１０２の間欠駆動を中断させる。そして、ステップＳ２１２へ進む。
【０１３２】
（ステップＳ２１２）受信回路１０２は、一定の時間、機能を停止する。そして、ステップＳ２１３へ進む。
【０１３３】
（ステップＳ２１３）マイクロプロセッサ１０３は、受信回路１０２の間欠駆動を再開させるさせる。そして、ステップＳ２０２へ戻る。
以上で、第２の実施形態における電子機器１０の動作の一例についての説明を終了する。
【０１３４】
以上説明したように、第２の実施形態に係る電子機器１０は、計測ポイントに接近するまでの間は、受信回路１０２は、第２のパターンよる間欠駆動よりも周期が長く消費電力が小さい、第１のパターンによって間欠駆動をする。したがって、常に第２のパターンで受信回路１０２が間欠駆動をする場合よりも、消費電力を小さくすることができる。
【０１３５】
そして、計測ポイントに接近すると、受信回路１０２の間欠駆動は、第１のパターンよりも周期が短い第２のパターンに切り替わる。間欠駆動の周期が短い第２のパターンに切り替わることによって、第１のパターンで受信回路１０２が間欠駆動をする場合よりも、電子機器１０が計測マット２０に到達した時間を計測する際の計測誤差をより小さくすることができる。
【０１３６】
そして、計測ポイントを通過したタイムが確定すると、受信回路１０２は、一定の時間、間欠駆動を停止する。そして、ランナーが走行し、ゲインＧ１の反応区間の外に出るまでに要するのに十分な時間を経過した後、受信回路１０２は、間欠駆動を再開する。そして、受信回路１０２は、再び、第２のパターンよる間欠駆動よりも周期が長く消費電力が小さい、第１のパターンによって間欠駆動をする。
【０１３７】
したがって、第２の実施形態においては、一定の時間、間欠駆動を停止させることができるため、第１の実施形態よりも更に、消費電力を小さくすることができる。
以上により、本発明の第２の実施形態に係る電子機器１０は、タイム計測の精度に影響を与えずに、電子機器の電力消費を抑えることができる。
【０１３８】
（第３の実施形態）
一般的に、マラソン大会の会場となる市街地の道路上等では、瞬間的に様々な外乱磁界（ノイズとも称する）が発生する。そのため、電子機器１０は、計測マット２０が発生させる磁界３０以外のノイズを受信することがある。電子機器１０は、ノイズを受信した場合、磁界３０を受信したと誤って認識してしまうことがある。その場合、電子機器１０は、受信回路１０２がする間欠駆動を、第１のパターンから第２のパターンへ切り替える。しかし、電子機器１０は、実際にはノイズを受信したのであって、計測マット２０が発生させる磁界３０を受信したわけではない。そのため、例えば、電子機器１０は、その後しばらくの間、磁界３０を受信をすることなく第２のパターンでの間欠駆動を続けたり、または別のノイズを受信したりする。それによって、電子機器１０は、誤った時間情報（スプリットタイム等）を記録してしまうことがある。
【０１３９】
第３の実施形態に係る電子機器１０は、ノイズを受信した場合でも、誤った時間情報を記録することを防止する。
以下に、本発明の第３の実施形態について、図面を参照しながら説明する。
なお、第１の実施形態と構成が共通する部分については、説明を省略する。
【０１４０】
（電子機器の構成）
図３の、電子機器１０の構成の一例を示すブロック図を用いて説明する。
マイクロプロセッサ１０３は、電子機器１０の各種の制御を行う。例えば、マイクロプロセッサは１０３は、ＣＰＵである。
【０１４１】
制御部（マイクロプロセッサ１０３）は、受信部（受信回路１０２）が電磁波を第１のパターンで受信待機している場合において、受信部（受信回路１０２）が電磁波を受信したとき、受信部（受信回路１０２）に第２のパターンで受信待機させる。
【０１４２】
すなわち、マイクロプロセッサ１０３は、受信回路１０２がする間欠駆動の２つの状態を切り替える制御をする。受信回路１０２が第１のパターンで間欠駆動をしている場合に受信アンテナ１０１が電磁波を受信したときには、マイクロプロセッサ１０３は受信回路１０２に第２のパターンで間欠駆動をさせるように状態を切り替える。
【０１４３】
また、制御部（マイクロプロセッサ１０３）は、受信部（受信回路１０２）が第２のパターンで電磁波の受信を待機している場合において、電磁波を受信したとき、受信部（受信回路１０２）に第１のパターンで電磁波の受信を待機させる。
【０１４４】
また、制御部（マイクロプロセッサ１０３）は、受信部（受信回路１０２）が第２のパターンで電磁波の受信を待機している場合において、所定の期間、電磁波を受信しなかったとき、受信部（受信回路１０２）に第１のパターンで電磁波の受信を待機させる。
【０１４５】
例えば、所定の期間とは、受信回路１０２が第２のパターンで間欠駆動している際の、駆動回数（例えば、５回）である。その場合、マイクロプロセッサ１０３は、受信回路１０２の間欠駆動の状態を第２のパターンに切り替えた後、間欠駆動した駆動回数をカウントする。そして、所定の駆動回数に達した場合、または所定の回数に達する前に受信アンテナ１０１が電磁波を受信した場合には、マイクロプロセッサ１０３はカウントを終了する。
なお、所定の期間は、時間（例えば、１分間）によって定められていてもかまわない。所定の期間は、駆動回数であっても、時間であっても、ランナーが計測ポイントにおける計測マット２０を通過するのに想定される十分な期間として設定される。
【０１４６】
すなわち、第３の実施形態においては、マイクロプロセッサ１０３は、次のように、受信回路１０２がする間欠駆動の２つの状態を切り替える制御をする。受信回路１０２が第２のパターンで間欠駆動をしている場合に受信アンテナ１０１が電磁波を受信したときには、マイクロプロセッサ１０３は、受信回路１０２に第１のパターンで間欠駆動をさせるように状態を切り替える。
また、受信回路１０２が第２のパターンで間欠駆動をしている場合に、所定の期間、受信アンテナ１０１が電磁波を受信しなかったときには、マイクロプロセッサ１０３は、受信回路１０２に第１のパターンで間欠駆動をさせるように状態を切り替える。
【０１４７】
上述したように、第３の実施形態に係る電子機器１０は、何らかの電磁波を受信して、受信回路１０２がする間欠駆動を第１のパターンから第２のパターンへ切り替えた後、所定の期間、受信アンテナ１０１が電磁波を受信しなかった場合には、受信した電磁波は計測マット２０が発生させる磁界３０ではなく、ノイズであると判定する。そして、電子機器１０は、再び受信回路１０２がする間欠駆動を第２のパターンから第１のパターンへ切り替える。
【０１４８】
次に、第３の実施形態において、走行中のランナーが、ノイズ発生地点を通過していく際の、受信回路１０２の間欠駆動の動作について説明する。
図８は、本発明の第３の実施形態に係る受信回路１０２の間欠駆動の動作の一例を示す概略図である。
【０１４９】
図８の上段は、１人のランナーが図８の左側から右側へ向かって走行している様子を示す。ランナーは、図８の左側から右側へ向かって走行していく間に、計測マット２０の上を通過する。
【０１５０】
図８の中段は、ノイズが発生した区間を示す。図８の例示においては、地点ｐｔ３１１から地点ｐｔ３１２の間においてノイズが発生している。
【０１５１】
図４の下段は、受信回路１０２のＯＮ及びＯＦＦの状態、及び受信回路出力の状態を示す。
受信回路１０２がＯＮである状態とは、受信回路１０２が駆動している状態である。受信回路１０２がＯＮの状態であるときに限り、受信回路１０２は、受信アンテナ１０１を介して電磁波を受信することができる。そして、電磁波を受信したことを示す信号を、受信回路１０２はマイクロプロセッサ１０３に出力することができる。受信回路１０２がＯＦＦである状態とは、受信回路１０２が駆動していない状態である。
【０１５２】
受信回路出力の状態とは、受信回路１０２がマイクロプロセッサ１０３に、電磁波を受信したことを示す信号を出力している状態であるか否かを示す。
【０１５３】
以下に、走行するランナーが、ノイズ発生地点を通過した場合の、電子機器１０の動作の流れを説明する。
まず、ランナーが図４の上段に示す図の左端の位置を走行している時点では、受信回路１０２は、第１のパターンで間欠駆動する。第１のパターンによる間欠駆動の利得（ゲイン）はゲインＧ１であり、周期は周期Ｔ１である。
【０１５４】
そして、ランナーが走行し、地点ｐｔ３１１に到達する。図８の例示においては、地点ｐｔ３１１から地点ｐｔ３１２までの区間においてノイズが発生している。そして、ランナーが地点ｐｔ３１１から地点３１２までの区間を走行している間の時点ｔｍ３１において、受信回路１０２が間欠駆動する。受信回路１０２は、受信アンテナ１０１を介して電磁波（ノイズ）を受信する。受信回路１０２は、電磁波を受信したことを示す信号をマイクロプロセッサ１０３出力する。
【０１５５】
マイクロプロセッサ１０３は、受信回路１０２からの信号を受信すると、受信回路１０２の間欠駆動の状態を、第１のパターンから第２のパターンへ切り替える。第２のパターンへ切り替えたことにより、受信回路１０２の利得は、第１のパターンの利得であるゲインＧ１よりも低い利得であるゲインＧ２へ切り替わる。また、第２のパターンへ切り替えたことにより、受信回路１０２の間欠駆動の周期は、第１のパターンの周期Ｔ１よりも短い周期である周期Ｔ２へ切り替わる。
【０１５６】
その後、電子機器１０のマイクロプロセッサ１０３は、受信回路１０２がする間欠駆動の回数をカウントする。そして、所定の回数（図８の例示では、５回）の間欠駆動が行われた時点である時点ｔｍ３２まで間に、受信アンテナ１０１が電磁波を受信しなかった場合には、マイクロプロセッサ１０３は、受信した電磁波が計測マット２０が発生させる磁界３０ではなくノイズであると判定する。
【０１５７】
そして、マイクロプロセッサ１０３は、受信回路１０２の間欠駆動の状態を、第２のパターンから第１のパターンへ再び切り替える。第１のパターンへ切り替えたことにより、受信回路１０２の利得は、第２のパターンの利得であるゲインＧ２よりも高い利得であるゲインＧ１へ切り替わる。また、第１のパターンへ切り替えたことにより、受信回路１０２の間欠駆動の周期は、第２のパターンの周期Ｔ２よりも長い周期である周期Ｔ１へ切り替わる。
【０１５８】
（第３の実施形態に係る電子機器１０の動作）
次に、第３の実施形態に係る電子機器１０の動作の一例について説明する。
図９は、本発明の第３の実施形態に係る電子機器１０の動作の一例を示すフローチャートである。
【０１５９】
（ステップＳ３０１）まず、ランナーによる外部操作部材１０６からの入力によって、ストップウォッチ機能による時間の計測が開始される。
なお、外部操作部材１０６からの入力に基づいて計測が開始されるのではなく、最初の計測ポイントであるスタート地点５１に敷設された計測マット２０が発生させる磁界３０を、受信アンテナ１０１が受信することに基づいて計測が開始されるような構成としてもよい。
その後、ステップＳ３０２へ進む。
【０１６０】
（ステップＳ３０２）マイクロプロセッサ１０３は、受信回路１０２の間欠駆動の状態を第１のパターンにする。それにより、受信回路１０２の利得は、ゲインＧ１に設定される。その後、ステップＳ３０３へ進む。
【０１６１】
（ステップＳ３０３）マイクロプロセッサ１０３は、受信回路１０２の間欠駆動の状態を第１のパターンにする。それにより、受信回路１０２の周期は、周期Ｔ１に設定される。その後、ステップＳ３０４へ進む。
【０１６２】
（ステップＳ３０４）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ３０５へ進む。
【０１６３】
（ステップＳ３０５）受信回路１０２が受信アンテナ１０１を介して電磁波を受信したならば、受信回路１０２は電磁波を受信したことを示す信号をマイクロプロセッサ１０３へ出力する。その後、ステップＳ３０６へ進む。
受信回路１０２が電磁波を受信していないならば、ステップＳ３０４へ戻る。
【０１６４】
（ステップＳ３０６）マイクロプロセッサ１０３は、受信回路１０２からの信号を受けて、受信回路１０２の間欠駆動の状態を第２のパターンに切り替える。それにより、受信回路１０２の利得は、ゲインＧ２に設定される。その後、ステップＳ３０７へ進む。
【０１６５】
（ステップＳ３０７）マイクロプロセッサ１０３は、受信回路１０２からの信号を受けて、受信回路１０２の間欠駆動の状態を第２のパターンに切り替える。それにより、受信回路１０２の周期は、周期Ｔ２に設定される。その後、ステップＳ３０８へ進む。
【０１６６】
（ステップＳ３０８）マイクロプロセッサ１０３は、受信回路１０２がする間欠駆動のカウントを開始する。マイクロプロセッサ１０３は、変数Ｎに、間欠駆動の所定の回数Ｘを代入する。その後、ステップＳ３０９へ進む。
【０１６７】
（ステップＳ３０９）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ３１０へ進む。
【０１６８】
（ステップＳ３１０）マイクロプロセッサ１０３は、受信回路１０２が間欠駆動をする毎に、変数Ｎの値から１を差し引く。その後、ステップＳ３１１へ進む。
【０１６９】
（ステップＳ３１１）変数Ｎの値が０であるならば、ステップＳ３０２へ戻る。変数Ｎの値が０でないならば、ステップＳ３１２へ進む。
【０１７０】
（ステップＳ３１２）受信回路１０２が受信アンテナ１０１を介して電磁波を受信したならば、受信回路１０２は電磁波を受信したことを示す信号をマイクロプロセッサ１０３に出力する。その後、ステップＳ３１３へ進む。
受信回路１０２が電磁波を受信していないならば、ステップＳ３０９へ戻る。
【０１７１】
（ステップＳ３１３）マイクロプロセッサ１０３は、受信回路１０２からの信号が入力された時点に基づく時間情報によってタイムを確定する。マイクロプロセッサ１０３は、確定したタイムに係る時間情報を、メモリ１０５に記録する。その後、ステップＳ３１４へ進む。
【０１７２】
（ステップＳ３１４）マイクロプロセッサ１０３は、受信回路１０２からの信号を受けて、受信回路１０２の間欠駆動の状態を、再び、第１のパターンに切り替える。それにより、受信回路１０２の利得は、ゲインＧ１に設定される。その後、ステップＳ３１５へ進む。
【０１７３】
（ステップＳ３１５）マイクロプロセッサ１０３は、受信回路１０２からの信号を受けて、受信回路１０２の間欠駆動の状態を、再び、第２のパターンに切り替える。それにより、受信回路１０２の周期は、周期Ｔ２に設定される。その後、ステップＳ３１６へ進む。
【０１７４】
（ステップＳ３１６）ランナーによる外部操作部材１０６からの入力等によって、ストップウォッチ機能による時間の計測の終了が指示されたならば、計測を終了する。また、電子機器１０の電源が切られる指示がされているならば、計測を終了する。計測を終了した場合には、以上で、本フローチャートが示す処理が終了する。
時間の計測の終了が指示されておらず、かつ、電源が切られる指示がされていないならば、ステップＳ３１７へ進む。
【０１７５】
（ステップＳ３１７）受信回路１０２が、間欠駆動をする度に、受信アンテナ１０１を介して電磁波（磁界３０）を受信している状態であるならば、ステップＳ３１６へ戻る。
受信回路１０２が、電磁波（磁界３０）を受信しなくなったならば、ステップＳ３０４へ戻る。
以上で、第３の実施形態における電子機器１０の動作の一例についての説明を終了する。
【０１７６】
以上説明したように、第３の実施形態に係る電子機器１０の受信回路１０２は、計測ポイントに接近して最初に磁界３０を受信するまでの間、またはノイズを受信するまでの間は、第２のパターンによる間欠駆動よりも周期が長く消費電力が小さい、第１のパターンによって間欠駆動をする。したがって、常に第２のパターンで受信回路１０２が間欠駆動をする場合よりも、消費電力を小さくすることができる。
【０１７７】
そして、受信アンテナ１０１が磁界３０またはノイズを受信すると、受信回路１０２の間欠駆動は、第１のパターンよりも周期が短い第２のパターンに切り替わる。
受信アンテナ１０１が受信した電磁波が磁界３０だった場合においては、間欠駆動の周期が短い第２のパターンに切り替わることによって、第１のパターンで受信回路１０２が間欠駆動をする場合よりも、電子機器１０が計測マット２０に到達した時間を計測する際の計測誤差をより小さくすることができる。
【０１７８】
そして、計測ポイントを通過したタイムが確定すると、再び、受信回路１０２は、第２のパターンよる間欠駆動よりも周期が長く消費電力が小さい、第１のパターンによって間欠駆動をする。したがって、常に第２のパターンで受信回路１０２が間欠駆動をする場合よりも、消費電力を小さくすることができる。
【０１７９】
また、受信アンテナ１０１が受信した電磁波がノイズだった場合においては、受信アンテナ１０１が、その後、所定の期間、電磁波を受信しなかった場合、マイクロプロセッサ１０３は、受信した電磁波がノイズであると判断する。それにより、電子機器１０は、計測マットが敷設された計測ポイントではない地点で、誤ったタイム計測をすることを防止することができる。
【０１８０】
以上により、本発明の第１の実施形態に係る電子機器１０は、タイム計測の精度に影響を与えずに、電子機器の電力消費を抑えることができる。
【０１８１】
（ゲインＧ１反応区間とゲインＧ２反応区間の具体的な距離の設定について）
以下に、一般的なマラソン競技における、ゲインＧ１の反応区間、及びゲインＧ２の反応区間の具体的な距離について説明する。
図１０は、本発明の第１の実施形態、及び第２の実施形態における、具体的なゲイン反応区間の距離の一例を示す概略図である。
【０１８２】
図１０に図示するように、一般的なマラソン大会においては、ゲインＧ１の反応区間を１０ｍ以下、ゲインＧ２の反応区間を３ｍ以下の距離とすることが望ましい。
【０１８３】
まず、ゲインＧ２の反応区間を３ｍ以下とすることが望ましい理由について以下に説明する。
フルマラソンを完走するランナーの平均タイムは、４時間３０分前後である。したがって、平均的なランナーが平均的なペースで１秒間に進む距離は毎秒３ｍ程度になる。
そして、一般的に、マラソン大会の開催者等が計測する正式タイムは、ランナーが計測マット２０のスタート地点側のマット端（以下、マット端と称する）を通過したタイミングで計測される。
【０１８４】
したがって、正式タイムと、電子機器１０が計測するタイムと、の間の平均誤差を１秒以内とするためには、マット端から約３ｍ以内で、電子機器１０がタイム確定を行う必要がある。よって、ゲインＧ２の反応区間は３ｍ以下とすることが望ましい。
【０１８５】
次に、ゲインＧ１の反応区間を１０ｍ以下とすることが望ましい理由について以下に説明する。
マット端から３ｍの地点における磁界３０の電界強度と、マラソンの行動に伴って観測される雑音（以下、ノイズと称する）の信号強度との差は、２０ｄＢ以上の差があることが、調査の結果によって示されている。
【０１８６】
一般的に、電界強度の強さは距離の二乗に反比例する。よって、マット端から１０ｍの地点における磁界３０の電界強度は１／（３．３の二乗）、すなわち−２０ｄＢとなる。したがって、マット端から１０ｍの地点における磁界３０の電界強度は、ノイズの信号強度と同等の強度となる。
以上により、電子機器１０がノイズには反応せずに磁界３０を受信できるようにするためには、ゲインＧ１の反応区間を１０ｍ以下とすることが望ましい。
【０１８７】
よって、一般的なマラソン大会において使用される、本発明に係る電子機器１０は、受信部（受信回路１０２）が第１の利得で計測用電波（磁界３０）を受信する場合には、受信部（受信回路１０２）は計測地点から１０メートル以内の地点において計測用電波（磁界３０）を受信し、受信部（受信回路１０２）が第２の利得で計測用電波（磁界３０）を受信する場合には、受信部（受信回路１０２）は計測地点から３メートル以内の地点において計測用電波（磁界３０）を受信する、ことが望ましい。
【０１８８】
以上、この発明の実施形態及びその変形例について詳しく説明してきたが、具体的な構成は上述のものに限られることはなく、この発明の要旨を逸脱しない範囲内において様々な設計変更等をすることが可能である。
【０１８９】
なお、上述した実施形態における電子機器１０の一部または全部を、コンピュータで実現するようにしてもよい。その場合、この制御機能を実現するためのプログラムを、コンピュータ読み取り可能な記録媒体に記録して、この記録媒体に記録されたプログラムをコンピュータシステムに読み込ませ、実行することによって実現してもよい。
【０１９０】
なお、ここでいう「コンピュータシステム」とは、電子機器１０に内蔵されたコンピュータシステムであって、ＯＳや周辺機器等のハードウェアを含むものとする。また、「コンピュータ読み取り可能な記録媒体」とは、フレキシブルディスク、光磁気ディスク、フラッシュメモリ、ＥＥＰＲＯＭ、ＲＯＭ、ＲＡＭ、ＣＤ−ＲＯＭ等の可搬媒体、コンピュータシステムに内蔵されるハードディスク等の記憶装置、またはそれらの任意の組み合わせによって構成される記憶媒体のことをいう。
【０１９１】
さらに「コンピュータ読み取り可能な記録媒体」とは、インターネット等の通信ネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１９２】
また、上述した実施形態における電子機器１０の一部または全部を、ＬＳＩ（Ｌａｒｇｅ  Ｓｃａｌｅ  Ｉｎｔｅｇｒａｔｉｏｎ）等の集積回路として実現してもよい。電子機器１０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１９３】
１・・・計測システム、１０・・・電子機器、１０１・・・受信アンテナ、１０２・・・受信回路、１０３・・・マイクロプロセッサ、１０４・・・ディスプレイ、１０５・・・メモリ、１０６・・・外部操作部材、１０７・・・電源、２０・・・計測マット、２０１・・・マット、２０２・・・信号発生コイル、２０３・・・信号発信器、３０・・・磁界、  ５・・・マラソン大会会場、５０・・・マラソンコース、５１・・・スタート地点、５２−１・・・１０ｋｍ地点、５２−２・・・２０ｋｍ地点、５２−３・・・３０ｋｍ地点、５３・・・ゴール地点、ｐｔ１１１・・・地点（ゲインＧ１の反応区間の始点）、ｐｔ１１２・・・地点（ゲインＧ１の反応区間の終点）、ｐｔ１２１・・・地点（ゲインＧ２の反応区間の始点）、ｐｔ１２２・・・地点（ゲインＧ２の反応区間の終点）、ｔｍ１１・・・時点、ｔｍ１２・・・時点、ｔｍ１３・・・時点、ｐｔ２１１・・・地点（ゲインＧ１の反応区間の始点）、ｐｔ２１２・・・地点（ゲインＧ１の反応区間の終点）、ｐｔ２２１・・・地点（ゲインＧ２の反応区間の始点）、ｐｔ２２２・・・地点（ゲインＧ２の反応区間の終点）、ｐｔ３１１・・・時点（ノイズ発生の始点）、ｐｔ３１２・・・時点（ノイズ発生の終点）、ｔｍ２１・・・時点、ｔｍ２２・・・時点、ｔｍ２３・・・時点、ｔｍ３１・・・時点、ｔｍ３２・・・時点
【図１】
0006450225.tif 000002
【図２】
0006450225.tif 000003
【図３】
0006450225.tif 000004
【図４】
0006450225.tif 000005
【図５】
0006450225.tif 000006
【図６】
0006450225.tif 000007
【図７】
0006450225.tif 000008
【図８】
0006450225.tif 000009
【図９】
0006450225.tif 000010
【図１０】
0006450225.tif 000011